(57)【特許請求の範囲】
【請求項１】
測定対象体を取り囲むように配置された状態において当該測定対象体についての物理量を検出するセンサケーブルと、当該センサケーブルにおける両端部同士の連結および連結解除を行うための連結機構とを備えたフレキシブルセンサであって、
前記連結機構は、第１連結部と第２連結部とを備え、
前記第１連結部は、前記センサケーブルにおける前記両端部のいずれか一方が固定されると共に前記第２連結部を挿入させる被挿入部を有し、
前記第２連結部は、前記両端部の他方が固定されて前記被挿入部に対する挿入および当該被挿入部からの引き抜きによって前記第１連結部との連結および連結解除が可能に構成されると共に、前記被挿入部に対する挿入の向きを示しかつ当該第２連結部が予め決められた規定挿入量だけ当該被挿入部に挿入されたか否かを特定可能な第１表示部を有し、
前記第１連結部は、前記一方の端部が基端部側に固定される筒状の本体部と、当該本体部に接続可能に構成されて接続状態において当該本体部を覆う筒状のカバーと、前記本体部に接続可能に構成されて前記第１連結部と前記第２連結部との連結および連結解除の操作を行うための操作部とを備え、
前記操作部には、前記本体部との接続時に当該本体部の内側に挿入されると共に当該操作部の径方向に沿って弾性変形可能に構成されかつ当該径方向の外側に向けて突出する凸部を有する弾性片が形成され、
前記本体部には、挿入された前記弾性片の前記凸部が嵌合して当該本体部および前記操作部の接続状態を維持する嵌合孔が形成され、
前記カバーには、前記嵌合孔に嵌合している前記凸部を押圧して当該凸部と当該嵌合孔との嵌合状態を解除させる部材を挿通させるための解除孔が形成されているフレキシブルセンサ。
【請求項２】
前記第１表示部は、山形形状の図形で構成され、
前記山形形状の図形は、前記規定挿入量で挿入されたときに前記被挿入部内に埋没する部位に設けられている請求項１記載のフレキシブルセンサ。
【請求項３】
前記第１表示部は、前記挿入の向きに沿って並べられた複数の前記山形形状の図形で構成されている請求項２記載のフレキシブルセンサ。
【請求項４】
前記第２連結部は、前記規定挿入量で挿入されたときに前記被挿入部内に埋没する部位と当該規定挿入量で挿入されたときに当該被挿入部から露出する部位とにおける色、表面荒さおよび外径の１つ以上が互いに異なるように形成されている請求項１から３のいずれかに記載のフレキシブルセンサ。
【請求項５】
前記第２連結部は、前記規定挿入量で挿入されたときに前記被挿入部から露出する部位に設けられて当該被挿入部からの引き抜きの向きを示す第２表示部を有している請求項１から４のいずれかに記載のフレキシブルセンサ。
【発明の詳細な説明】
【技術分野】
【０００１】
本発明は、測定対象体を取り囲むように配置して、その測定対象体についての物理量を検出するフレキシブルセンサに関するものである。
【背景技術】
【０００２】
この種のフレキシブルセンサとして、特開２００６−３２９８２６号公報に開示された電流検出器が知られている。この電流検出器は、被測定電流線の周囲に環状に巻付ける検出部と、検出部の両端を接合した状態に保持する保持部材と、検出部の出力線に接続されて出力信号を処理する信号処理部を備え、被測定電流線に流れる電流を検出可能に構成されている。この場合、保持部材は、検出部の一方の端部に固着されたソケット形保持部材と、検出部の他方の端部に固着されたプラグ形保持部材とを備えて構成されている。また、ソケット形保持部材の内面には凹状溝による係合部が設けられ、プラグ形保持部材の外面には凸状の係合部が設けられており、各保持部材の各係合部同士が係合することにより、検出部の各端面同士が接合される。
【０００３】
一方、発明者は、上記の保持部材を改良して、検出部（センサケーブル）の両端部同士をより確実に連結可能な構成として、図１６〜図１８に示す連結機構７０を備えたフレキシブルセンサを既に開発している。このフレキシブルセンサの連結機構７０は、図１６に示すように、第１連結部７１および第２連結部７２を備えて構成されている。
【０００４】
第１連結部７１は、円筒状にそれぞれ形成された本体部８１およびカバー８２を備えて構成されている。本体部８１は、図外のセンサケーブルにおける一方の端部が固定されると共に、図１７に示すように、第２連結部７２を挿入可能に構成されている。また、本体部８１には、本体部８１の径方向に沿って弾性変形可能な片持ち状の弾性片８１ａが設けられている。また、この弾性片８１ａの先端部には、本体部８１の中心軸側に向かって突出する爪部８１ｂが形成されている。カバー８２は、長さ方に沿って本体部８１に対して相対的にスライド可能に図外の係合部によって本体部８１の外側に接続されている。この場合、本体部８１をカバー８２に挿入することによって両者が接続されている。また、カバー８２の先端部（同図における右端部）には、カバー８２を本体部８１の基端部（同図における左端部）に向けてスライドさせたときに本体部８１の弾性片８１ａの先端部に当接して弾性片８１ａを外側に弾性変形させるための突起部８２ａが設けられている。第２連結部７２は、図外のセンサケーブルにおける他方の端部に固定されている。また第２連結部７２には、溝部７２ａが外周に沿って形成されている。
【０００５】
この連結機構７０では、図１６に示すように、本体部８１およびカバー８２の先端部（同図における右端部）側から第２連結部７２を挿入して第１連結部７１および第２連結部７２を連結する。この場合、同図に示すように、第２連結部７２の挿入の際に、本体部８１の弾性片８１ａの爪部８１ｂに第２連結部７２の先端部が当接して、弾性片８１ａが外側に弾性変形する。次いで、第２連結部７２をさらに本体部８１の奥側に挿入したときには、図１７に示すように、第２連結部７２の溝部７２ａに本体部８１の爪部８１ｂが係合し、これによって第２連結部７２および本体部８１が連結された状態に維持される。
【０００６】
また、この連結機構７０では、第２連結部７２と本体部８１との連結状態を解除するときには、図１８に示すように、カバー８２を本体部８１の基端部に向けて（同図に示す矢印の向きに）スライドさせる。この際に、カバー８２の突起部８２ａが、本体部８１の弾性片８１ａの先端部に当接して弾性片８１ａを外側に弾性変形させる。これにより、第２連結部７２の溝部７２ａと本体部８１の爪部８１ｂとの係合が解除される。次いで、この状態で第２連結部７２を本体部８１およびカバー８２から引き抜く。以上により、第２連結部７２と本体部８１との連結状態が解除される。
【先行技術文献】
【特許文献】
【０００７】
【特許文献１】特開２００６−３２９８２６号公報（第３−４頁、第２図）
【発明の概要】
【発明が解決しようとする課題】
【０００８】
ところが、発明者が既に開発している上記のフレキシブルセンサには、改善すべき以下の課題がある。すなわち、このフレキシブルセンサでは、第２連結部７２を第１連結部７１の本体部８１に挿入して（押し込んで）、第２連結部７２の溝部７２ａに本体部８１の爪部８１ｂを係合させることによって第１連結部７１（本体部８１）と第２連結部７２とを連結している。この場合、電流値を正確に測定するためには、センサケーブルの端部同士をできる限り近接させるのが好ましい。このため、このフレキシブルセンサでは、第２連結部７２を本体部８１の奥まで十分に押し込んだときに第２連結部７２の溝部７２ａと本体部８１の爪部８１ｂとが係合するように構成されている。しかしながら、このフレキシブルセンサでは、溝部７２ａと爪部８１ｂとが係合する位置まで（予め規定された規定挿入量だけ）本体部８１に第２連結部７２を挿入したか否かを使用者に認識させる手段を備えていないため、挿入不足によって溝部７２ａと爪部８１ｂとが係合されなかったり、係合が不十分だったりすることがある。したがって、このフレキシブルセンサには、測定中に第２連結部７２が第１連結部７１から外れるおそれがあるという課題が存在する。
【０００９】
本発明は、かかる課題に鑑みてなされたものであり、第１連結部と第２連結部とを確実に連結させ得るフレキシブルセンサを提供することを主目的とする。
【課題を解決するための手段】
【００１０】
上記目的を達成すべく請求項１記載のフレキシブルセンサは、測定対象体を取り囲むように配置された状態において当該測定対象体についての物理量を検出するセンサケーブルと、当該センサケーブルにおける両端部同士の連結および連結解除を行うための連結機構とを備えたフレキシブルセンサであって、前記連結機構は、第１連結部と第２連結部とを備え、前記第１連結部は、前記センサケーブルにおける前記両端部のいずれか一方が固定されると共に前記第２連結部を挿入させる被挿入部を有し、前記第２連結部は、前記両端部の他方が固定されて前記被挿入部に対する挿入および当該被挿入部からの引き抜きによって前記第１連結部との連結および連結解除が可能に構成されると共に、前記被挿入部に対する挿入の向きを示しかつ当該第２連結部が予め決められた規定挿入量だけ当該被挿入部に挿入されたか否かを特定可能な第１表示部を有し、前記第１連結部は、前記一方の端部が基端部側に固定される筒状の本体部と、当該本体部に接続可能に構成されて接続状態において当該本体部を覆う筒状のカバーと、前記本体部に接続可能に構成されて前記第１連結部と前記第２連結部との連結および連結解除の操作を行うための操作部とを備え、前記操作部には、前記本体部との接続時に当該本体部の内側に挿入されると共に当該操作部の径方向に沿って弾性変形可能に構成されかつ当該径方向の外側に向けて突出する凸部を有する弾性片が形成され、前記本体部には、挿入された前記弾性片の前記凸部が嵌合して当該本体部および前記操作部の接続状態を維持する嵌合孔が形成され、前記カバーには、前記嵌合孔に嵌合している前記凸部を押圧して当該凸部と当該嵌合孔との嵌合状態を解除させる部材を挿通させるための解除孔が形成されている。
【００１１】
また、請求項２記載のフレキシブルセンサは、請求項１記載のフレキシブルセンサにおいて、前記第１表示部は、山形形状の図形で構成され、前記山形形状の図形は、前記規定挿入量で挿入されたときに前記被挿入部内に埋没する部位に設けられている。
【００１２】
また、請求項３記載のフレキシブルセンサは、請求項２記載のフレキシブルセンサにおいて、前記第１表示部は、前記挿入の向きに沿って並べられた複数の前記山形形状の図形で構成されている。
【００１３】
また、請求項４記載のフレキシブルセンサは、請求項１から３のいずれかに記載のフレキシブルセンサにおいて、前記第２連結部は、前記規定挿入量で挿入されたときに前記被挿入部内に埋没する部位と当該規定挿入量で挿入されたときに当該被挿入部から露出する部位とにおける色、表面荒さおよび外径の１つ以上が互いに異なるように形成されている。
【００１４】
また、請求項５記載のフレキシブルセンサは、請求項１から４のいずれかに記載のフレキシブルセンサにおいて、前記第２連結部は、前記規定挿入量で挿入されたときに前記被挿入部から露出する部位に設けられて当該被挿入部からの引き抜きの向きを示す第２表示部を有している。
【発明の効果】
【００１５】
請求項１記載のフレキシブルセンサでは、被挿入部に対する第２連結部の挿入の向きを示しかつ第２連結部が予め決められた規定挿入量だけ被挿入部に挿入されたか否かを特定可能な第１表示部を第２連結部が有している。このため、このフレキシブルセンサによれば、例えば、第１連結部と第２連結部とを連結するのに必要な挿入量が規定挿入量として予め決められているときには、使用者が第１表示部を確認することで、第２連結部が規定挿入量だけ被挿入部に挿入されたか否かを、使用者に確実かつ容易に認識させることができる。したがって、このフレキシブルセンサによれば、被挿入部に対する第２連結部の挿入不足を確実に防止することができる結果、第１連結部と第２連結部とを確実に連結することができる。また、このフレキシブルセンサでは、凸部を有する弾性片が操作部に形成され、凸部が嵌合して本体部および操作部の接続状態を維持するする嵌合孔が本体部に形成され、嵌合孔および凸部の嵌合状態を解除させる部材を挿通させるための解除孔がカバーに形成されている。したがって、このフレキシブルセンサによれば、カバーの解除孔に解除用の部材を挿入しなければ凸部と嵌合孔との嵌合状態が解除されないため、操作部の交換を可能としつつ、第１連結部と第２連結部との連結を解除するための通常の操作によって操作部が本体部から容易に外れる事態を確実に防止することができる。
【００１６】
また、請求項２記載のフレキシブルセンサによれば、山形形状の図形で第１表示部を構成し、規定挿入量で挿入されたときに被挿入部内に埋没する部位にその山形形状の図形を設けたことにより、山形形状の頂部を挿入の向きに向けることで、挿入の向きを使用者に明確に把握させることができると共に、第２連結部が規定挿入量だけ被挿入部に挿入されたか否かを一層確実に使用者に認識させることができる。
【００１７】
また、請求項３記載のフレキシブルセンサでは、挿入の向きに沿って並べられた複数の山形形状の図形で第１表示部が構成されている。このため、このフレキシブルセンサによれば、被挿入部に第２連結部を挿入している途中において、第２連結部の一部が被挿入部内に埋没して、第１表示部を構成する各山形形状の図形の１または複数が視認できない状態となったとしても、他の山形形状の図形を視認できるため、挿入の向きを使用者に明確に把握させることができると共に、第２連結部が規定挿入量だけ被挿入部に挿入されたか否かをより確実に使用者に認識させることができる。
【００１８】
また、請求項４記載のフレキシブルセンサでは、規定挿入量で挿入されたときに被挿入部内に埋没する部位と被挿入部から露出する部位とにおける色、表面荒さおよび外径の１つ以上が互いに異なるように第２連結部が形成されている。このため、このフレキシブルセンサによれば、被挿入部に対する第２連結部の挿入量が規定挿入量に達していないときには、露出部（上記した露出する部位）とは異なる色の挿入部（上記した埋没する部位）の一部が被挿入部から露出することとなる結果、第２連結部が規定挿入量だけ被挿入部に挿入されたか否かを使用者にさらに確実に認識させることができる。
【００１９】
また、請求項５記載のフレキシブルセンサによれば、規定挿入量で挿入されたときに被挿入部から露出する部位（露出部）に、引き抜きの向きを示す第２表示部を設けたことにより、第２連結部を引き抜く向きを確実に使用者に認識させることができると共に、第２表示部が設けられている露出部を第１連結部から引き離すべきことを確実に使用者に認識させることができる。このため、このフレキシブルセンサによれば、第１連結部を構成する部材同士を強引に引き離すような誤操作を確実に防止することができる。
【図面の簡単な説明】
【００２０】
【図１】フレキシブルセンサ１の構成を示す構成図である。
【図２】基端部１１ａ側から見た本体部１１の斜視図である。
【図３】先端部１１ｂ側から見た本体部１１の斜視図である。
【図４】本体部１１の断面図である。
【図５】カバー１２の斜視図である。
【図６】カバー１２の断面図である。
【図７】操作部１３の斜視図である。
【図８】操作部１３の断面図である。
【図９】第２連結部３ｂの側面図である。
【図１０】第２連結部３ｂの断面図である。
【図１１】連結機構３の組立て方法を説明する第１の説明図である。
【図１２】連結機構３の組立て方法を説明する第２の説明図である。
【図１３】連結機構３の組立て方法を説明する第３の説明図である。
【図１４】フレキシブルセンサ１の使用方法を説明する第１の説明図である。
【図１５】フレキシブルセンサ１の使用方法を説明する第２の説明図である。
【図１６】フレキシブルセンサ１の使用方法を説明する第３の説明図である。
【図１７】フレキシブルセンサ１の使用方法を説明する第４の説明図である。
【図１８】フレキシブルセンサ１の使用方法を説明する第５の説明図である。
【図１９】従来の連結機構７０の構成を説明する第１の説明図である。
【図２０】従来の連結機構７０の構成を説明する第２の説明図である。
【図２１】従来の連結機構７０の構成を説明する第３の説明図である。
【発明を実施するための形態】
【００２１】
以下、フレキシブルセンサの実施の形態について、添付図面を参照して説明する。
【００２２】
最初に、フレキシブルセンサの一例としての図１に示すフレキシブルセンサ１の構成について説明する。フレキシブルセンサ１は、同図に示すように、センサケーブル２、連結機構３およびケーブル４を備えて、測定対象体１００を取り囲むように配置した状態（センサケーブル２の端部２ａ，２ｂ同士を連結させた状態）において環状体を構成して、測定対象体１００を流れる電流（測定対象体１００についての物理量の一例）を検出可能に構成されている。
【００２３】
センサケーブル２は、コイル支持体の周囲に絶縁導線（いずれも図示せず）を巻回して形成したロゴスキーコイルであって、その絶縁導線がケーブル４を介して図外の測定器に接続される。
【００２４】
連結機構３は、センサケーブル２における端部２ａ，２ｂ同士の連結および連結解除を行うための機構であって、図１に示すように、第１連結部３ａおよび第２連結部３ｂを備えて構成されている。
【００２５】
第１連結部３ａは、図１に示すように、本体部１１、カバー１２および操作部１３を備えて構成されている。
【００２６】
本体部１１は、図２，３に示すように、基端部１１ａ側が小径の円筒状に形成され、先端部１１ｂ側が大径の円筒状に形成されている。この本体部１１の基端部１１ａには、センサケーブル２における両端部２ａ，２ｂ（図１参照）のいずれか一方（この例では、端部２ａ）が挿入されて固定される。また、センサケーブル２を構成する絶縁導線とケーブル４との接続部分が基端部１１ａの内部に収容される。
【００２７】
また、本体部１１の基端部１１ａには、図２，３に示すように、基端部１１ａの外側（接続状態のカバー１２）に向けて突出する突出部２１が形成されている。この突出部２１は、本体部１１とカバー１２との接続状態（本体部１１をカバー１２に挿入した状態）においてカバー１２の後述する爪部３１と係合する。
【００２８】
また、本体部１１は、先端部１１ｂに操作部１３を接続させる（取り付ける）ことが可能に構成されている。この場合、操作部１３は、後述する第１弾性片４１および第２弾性片４２を先端部１１ｂに挿入させて先端部１１ｂに接続される。また、図２，４に示すように、本体部１１の先端部１１ｂには、スリット２３が形成されている。このスリット２３は、挿入された操作部１３における第２弾性片４２の第２凸部４２ａが嵌合することにより、本体部１１と操作部１３との接続状態を維持する機能を有している。また、図１３に示すように、本体部１１における先端部１１ｂの内側の空間と操作部１３の内側の空間とによって第２連結部３ｂを挿入可能な被挿入部６１が構成される。
【００２９】
また、図２に示すように、本体部１１における先端部１１ｂの外周面には、溝２２が形成されている。この溝２２は、本体部１１をカバー１２に挿入して両者を接続する際に、カバー１２の後述するリブ３２をこの溝２２に係合させることで本体部１１とカバー１２とを位置決めする機能を有している。
【００３０】
また、図２，３に示すように、本体部１１における先端部１１ｂの縁部２４は、肉厚に形成され、その縁部２４には、切り欠き２５が形成されている。この切り欠き２５は、操作部１３を本体部１１の先端部１１ｂに接続する際に操作部１３の後述する指示部４３を係合させることにより、本体部１１および操作部１３を位置決めする機能を有している。
【００３１】
また、図４に示すように、本体部１１の先端部１１ｂの内部におけるスリット２３の形成部位よりも基端部１１ａ側の位置には、本体部１１の中心軸側に向かって突出する当接部２６が形成されている。この当接部２６は、操作部１３が後述するロック位置に位置しているときに、操作部１３の第１弾性片４１に当接して、第１弾性片４１の外向きの弾性変形を規制する機能を有している。
【００３２】
カバー１２は、図５に示すように、本体部１１を挿入可能な円筒状に形成されて、本体部１１に接続された（取り付けられた）状態において本体部１１を覆うことが可能に構成されている。また、図５，６に示すように、カバー１２の内周面には、本体部１１の溝２２に係合するリブ３２が形成されている。
【００３３】
また、図６に示すように、カバー１２の基端部１２ａには、爪部３１（この例では、２つの爪部３１）が形成されている。この爪部３１は、図１２に示すように、本体部１１をカバー１２に挿入した状態において本体部１１の突出部２１における先端部１１ｂ側の縁部（同図における右側の縁部）に係合して、本体部１１およびカバー１２を接続させる。この場合、このフレキシブルセンサ１では、同図に示すように、爪部３１がカバー１２の内側に形成されており、本体部１１とカバー１２との接続状態において爪部３１に対する押圧や変形などの操作が不能となる。このため、このフレキシブルセンサ１では、本体部１１をカバー１２に挿入して本体部１１およびカバー１２を接続した後には、突出部２１と爪部３１との係合状態の解除が不能となっている。つまり、このフレキシブルセンサ１では、本体部１１をカバー１２に挿入して本体部１１とカバー１２とを一旦接続した後には、本体部１１やカバー１２を破壊しない限り本体部１１とカバー１２との接続状態の解除（両者の分離）ができない構造（いわゆる、はめごろし構造）となっている。
【００３４】
また、図５，６に示すように、カバー１２の先端部１２ｂには、解除孔３３が形成されている。この解除孔３３は、本体部１１のスリット２３に嵌合している操作部１３における第２弾性片４２の第２凸部４２ａを解除用の部材（例えば、棒状部材）で押圧する際に、その部材を挿通するのに用いられる。このため、解除孔３３は、本体部１１とカバー１２との接続状態において本体部１１のスリット２３に対向する位置に形成されている。
【００３５】
操作部１３は、第１連結部３ａと第２連結部３ｂとの連結および連結解除の操作を行うための部材であって、図７，８に示すように、略円筒状に形成されている。また、操作部１３は、図１３に示すように、先端部１３ｂを本体部１１の先端部１１ｂに挿入することによって本体部１１に接続（取り付け）可能に構成されている。また、操作部１３には、図７，８に示すように、操作部１３の径方向に沿って弾性変形可能に構成された片持ち状の第１弾性片４１および第２弾性片４２が形成されている。
【００３６】
この場合、図７，８に示すように、各第１弾性片４１における長さ方向の中間部位には、操作部１３の中心軸側に向かって突出して、第１連結部３ａ（操作部１３）に挿入されている状態における第２連結部３ｂの溝部５４（図９参照）に係合可能な第１凸部４１ａが形成されている。また、図７，８に示すように、各第２弾性片４２の先端部には、操作部１３の外部に向けて突出する（つまり、本体部１１に接続された状態において本体部１１に向けて突出する）第２凸部４２ａが形成されている。
【００３７】
このフレキシブルセンサ１では、図１３に示すように、本体部１１の先端部１１ｂに形成されているスリット２３に第２弾性片４２の第２凸部４２ａを係合させることにより、本体部１１に対して相対的に回動可能な状態で操作部１３が本体部１１に接続される。
【００３８】
また、このフレキシブルセンサ１では、第２凸部４２ａがスリット２３の一方の端部２３ａ（図２における右側の端部：以下、端部２３ａの位置を「アンロック位置」ともいう）に位置しているときには、本体部１１の当接部２６が第１弾性片４１に当接しない。このため、このときには、本体部１１に向けての（外向きの）第１弾性片４１の弾性変形が許容される。一方、第２凸部４２ａがスリット２３の他方の端部２３ｂ（図２における左側の端部：以下、端部２３ｂの位置を「ロック位置」ともいう）に位置しているときには、図１８に示すように、本体部１１の当接部２６が第１弾性片４１に当接する。このため、このときには、本体部１１に向けての（外向きの）第１弾性片４１の弾性変形が規制される。
【００３９】
また、操作部１３の基端部１３ａには、図７に示すように、指示部４３が形成されている。この指示部４３は、本体部１１の先端部１１ｂに形成されている切り欠き２５（図２，３参照）に係合して操作部１３を本体部１１に対して位置決めすると共に、上記したアンロック位置およびロック位置を指し示す指針としても機能する。
【００４０】
第２連結部３ｂは、図９，１０に示すように、先端部５１が閉塞された略円筒状に構成されて、第１連結部３ａの被挿入部６１（図１３参照）に先端部５１側を挿入することが可能となっている。なお、図１８に示すように、第１連結部３ａにおける操作部１３の第１凸部４１ａが第２連結部３ｂの溝部５４に係合するのに必要な挿入量だけ（予め決められた規定挿入量で）第２連結部３ｂの先端部５１側が被挿入部６１に挿入されたときに（挿入された状態において）被挿入部６１内に埋没する部位を以下「挿入部６２」ともいう。また、同図に示すように、規定挿入量で挿入されたときに被挿入部６１から露出する部位を以下「露出部６３」ともいう。
【００４１】
この第２連結部３ｂでは、第１連結部３ａの被挿入部６１対する挿入部６２の挿入、および被挿入部６１からの挿入部６２の引き抜きによって第１連結部３ａとの連結および連結解除が行われる。
【００４２】
また、第２連結部３ｂには、図１に示すように、センサケーブル２における両端部２ａ，２ｂの他方（この例では、端部２ｂ）が基端部５２の開口部５３（図９，１０参照）から挿入された状態で固定される。また、第２連結部３ｂの挿入部６２には、操作部１３における第１弾性片４１の第１凸部４１ａと係合する溝部５４が外周に沿って形成されている。
【００４３】
また、第２連結部３ｂの挿入部６２には、図９に示すように、第１表示部５５が設けられている。この第１表示部５５は、第１連結部３ａの被挿入部６１に挿入部６２を挿入する際の向き（挿入の向き）を示すと共に、挿入部６２が予め決められた規定挿入量だけ被挿入部６１に挿入されたか否かを示す（規定挿入量で挿入されたか否かを特定可能とする）機能を有している。この場合、第１表示部５５は、同図に示すように、一例として、複数（この例では、３つ）の山形形状の図形（以下、「山形図形５５ａ」ともいう）で構成され、各山形図形５５ａの頂部が先端部５１側に向いた状態で挿入の向き（この例では左向き）に沿って各山形図形５５ａが並べられている。また、各山形図形５５ａのうちの最後尾の山形図形５５ａの裾部が挿入部６２と露出部６３との境界部分に位置している。
【００４４】
さらに、第２連結部３ｂの露出部６３には、図９に示すように、第２表示部５６が設けられている。この第２表示部５６は、第１連結部３ａの被挿入部６１から挿入部６２（第２連結部３ｂ）を引き抜く際の向き（引き抜きの向き：この例では右向き）を示す機能を有している。この場合、第２表示部５６は、同図に示すように、一例として、右向きの矢印の形状の図形で構成されている。
【００４５】
また、第２連結部３ｂは、挿入部６２および露出部６３の色が互いに異なるように形成されている（挿入部６２および露出部６３に異なる着色が施されている）。つまり、挿入部６２と露出部６３との境界部分で両者の色が区別されている。この第２連結部３ｂでは、一例として、挿入部６２が黄色で形成され、露出部６３が黒色で形成されている。
【００４６】
次に、フレキシブルセンサ１の組立て方法を説明する。まず、センサケーブル２をカバー１２に通し（挿通させ）、次いで、センサケーブル２の端部２ｂ（図１参照）を第２連結部３ｂに固定する。具体的には、センサケーブル２の端部２ｂに接着剤を塗布し、続いて、第２連結部３ｂの開口部５３（図９，１０参照）から端部２ｂを挿入する。これにより、端部２ｂが第２連結部３ｂに固定される。
【００４７】
次いで、センサケーブル２の端部２ａ（図１参照）を本体部１１に固定する。具体的には、センサケーブル２を構成する絶縁導線とケーブル４とを接続し、続いて、センサケーブル２の端部２ａに接着剤を塗布し、次いで、絶縁導線とケーブル４との接続部分を本体部１１の基端部１１ａに挿入する。これにより、本体部１１にセンサケーブル２の端部２ａが固定される。
【００４８】
続いて、本体部１１とカバー１２とを接続する（本体部１１をカバー１２で覆う）。具体的には、図１１に示すように、カバー１２における先端部１２ｂ側の開口部から本体部１１の基端部１１ａを挿入する。この際に、カバー１２に形成されているリブ３２を本体部１１に形成されている溝２２（図２参照）に係合させつつ挿入する。このように挿入することで、本体部１１とカバー１２とが位置決めされる。
【００４９】
次いで、本体部１１をカバー１２にさらに挿入する。この際に、図１２に示すように、本体部１１の突出部２１における先端部１１ｂ側の縁部（同図における右側の縁部）にカバー１２の爪部３１が係合し、これによって本体部１１とカバー１２とが接続される。ここで、このフレキシブルセンサ１では、同図に示すように、爪部３１がカバー１２の内側に形成されているため、この状態（接続状態）では、突出部２１および爪部３１に対する押圧や変形などの操作をカバー１２の外部から行うことができないようになっている。このため、このフレキシブルセンサ１では、本体部１１をカバー１２に挿入して本体部１１とカバー１２とを一旦接続した後には、突出部２１と爪部３１との係合状態の解除が不能となり、本体部１１とカバー１２とが接続状態（分離しない状態）に維持される。
【００５０】
続いて、本体部１１および操作部１３を接続する。具体的には、図１３に示すように、本体部１１の先端部１１ｂの内側に操作部１３の第１弾性片４１および第２弾性片４２を挿入する。この際に、操作部１３の基端部１３ａに形成されている指示部４３（図７参照）を本体部１１の先端部１１ｂに形成されている切り欠き２５（図２，３参照）に係合させつつ挿入する。このように挿入することで、本体部１１と操作部１３とが位置決めされる。
【００５１】
次いで、操作部１３を本体部１１にさらに挿入する。この際に、図１３に示すように、第２弾性片４２に形成されている第２凸部４２ａが本体部１１の先端部１１ｂに形成されているスリット２３に嵌合する。これにより、操作部１３が、上記したアンロック位置とロック位置との間で回動可能に本体部１１の先端部１１ｂに接続される。以上で、フレキシブルセンサ１の組立てが完了する。
【００５２】
次に、フレキシブルセンサ１の使用方法について、図面を参照して説明する。
【００５３】
このフレキシブルセンサ１を用いて、例えば、図１に示す測定対象体１００に流れる電流（測定対象体１００についての物理量の一例）を測定する際には、連結機構３の操作部１３を本体部１１に対して回動させて、操作部１３における第２弾性片４２の第２凸部４２ａを本体部１１のスリット２３の端部２３ａ（図２参照）の位置（アンロック位置）に位置させ、次いで、図１に示すように、測定対象体１００の周囲をセンサケーブル２で取り囲む。
【００５４】
次いで、図１４，１５に示すように、第２連結部３ｂの挿入部６２（先端部５１側）を操作部１３の基端部１３ａ側から先端部１３ｂ側（第１連結部３ａの奥側）に向けて押し込んで、挿入部６２を第１連結部３ａの被挿入部６１に挿入させる。この場合、第２弾性片４２の第２凸部４２ａをアンロック位置に位置させているときには、第１弾性片４１に本体部１１の当接部２６が当接していないため、本体部１１に向けての第１弾性片４１の弾性変形が許容される。このため、図１６に示すように、挿入部６２（第２連結部３ｂ）の押し込みによって第２連結部３ｂの先端部が第１凸部４１ａに当接し、これによって第１弾性片４１が本体部１１に向けて弾性変形する。この結果、被挿入部６１（カバー１２および操作部１３）に第２連結部３ｂが挿入される。
【００５５】
続いて、図１７に示すように、第２連結部３ｂの挿入部６２を第１連結部３ａの奥側にさらに押し込んで、被挿入部６１に対する挿入部６２の挿入量が規定挿入量に達したときには、図１８に示すように、第１弾性片４１の弾性力によって第１凸部４１ａが溝部５４に係合する。これにより、第１連結部３ａと第２連結部３ｂとが（センサケーブル２の端部２ａ，２ｂ同士が）連結される。
【００５６】
ここで、このフレキシブルセンサ１では、第２連結部３ｂの挿入部６２に第１表示部５５が設けられており、図１５に示すように、被挿入部６１に対する挿入部６２の挿入量が規定挿入量に達していないときには、挿入部６２の一部が被挿入部６１から露出して、第１表示部５５の一部（第１表示部５５を構成する各山形図形５５ａの一部）が視認可能な状態となる。一方、被挿入部６１に対する挿入部６２の挿入量が規定挿入量に達したときには、図１７に示すように、挿入部６２の全てが被挿入部６１に埋没して第１表示部５５（第１表示部５５を構成する全ての山形図形５５ａ）が視認できない状態となる。このため、このフレキシブルセンサ１では、第１表示部５５を確認することで、挿入部６２が規定挿入量だけ被挿入部６１に挿入されたか否かを確実かつ容易に認識することが可能となっている。したがって、このフレキシブルセンサ１では、被挿入部６１に対する挿入部６２の挿入不足によって第１凸部４１ａと溝部５４との係合がされなかったり、係合が不十分となる事態が確実に防止されて、第１連結部３ａと第２連結部３ｂとを確実に連結することが可能となっている。
【００５７】
また、このフレキシブルセンサ１では、第２連結部３ｂにおける挿入部６２および露出部６３の色が互いに異なるように形成されている。このため、被挿入部６１に対する挿入部６２の挿入量が規定挿入量に達していないときには、露出部６３とは異なる色の挿入部６２の一部が被挿入部６１から露出することとなる結果、挿入部６２が規定挿入量だけ被挿入部６１に挿入されたか否かをさらに確実かつ容易に認識することが可能となっている。
【００５８】
次いで、操作部１３を本体部１１に対して回動させて、第２弾性片４２の第２凸部４２ａをスリット２３の端部２３ｂ（図２参照）の位置（ロック位置）に位置させる。この際に、図１８に示すように、本体部１１の当接部２６が第１弾性片４１の外周部に当接して、本体部１１に向けての第１弾性片４１の弾性変形が規制される。このため、第１弾性片４１の第１凸部４１ａが溝部５４に係合した状態が維持され、第１連結部３ａと第２連結部３ｂとが（センサケーブル２の端部２ａ，２ｂ同士が）連結状態に維持される。
【００５９】
続いて、ケーブル４を図外の測定器に接続して、測定を開始する。この場合、測定器が、センサケーブル２に誘起した電圧をケーブル４を介して入力して測定する。次いで、測定が終了して、フレキシブルセンサ１を測定対象体１００から取り外す（測定対象体１００を取り囲んだ状態を解除する）ときには、連結機構３の操作部１３を本体部１１に対して回動させて、第２弾性片４２の第２凸部４２ａをスリット２３のアンロック位置に位置させる。
【００６０】
この際に、第１弾性片４１に対する当接部２６の当接が解除されて、本体部１１に向けての第１弾性片４１の弾性変形の規制が解除される。続いて、第１連結部３ａから引き抜く向きに第２連結部３ｂを引っ張る。この際に、第２連結部３ｂの溝部５４の縁部が第１弾性片４１の第１凸部４１ａに当接して第１弾性片４１がカバー１２に向けて弾性変形して、第１凸部４１ａと溝部５４との係合状態が解除される。これによって第１連結部３ａから第２連結部３ｂが引き抜かれて、第１連結部３ａと第２連結部３ｂとの連結状態（センサケーブル２の端部２ａ，２ｂ同士の連結状態）が解除される。
【００６１】
このフレキシブルセンサ１では、ロック位置に位置している第２弾性片４２の第２凸部４２ａをアンロック位置に位置するように操作部１３を回動させるだけで、第２連結部３ｂを第１連結部３ａから引き抜くことが可能な状態となる。このため、カバー８２を本体部８１の基端部側にスライドさせて第１連結部７１と第２連結部７２との連結状態を解除する従来の構成とは異なり、本体部８１とカバー８２とを強引に引き離すような誤操作を確実に防止することが可能となっている。
【００６２】
また、このフレキシブルセンサ１では、露出部６３に第２表示部５６が設けられているため、第２連結部３ｂを引き抜く向きを使用者に確実に認識させることができると共に、第２表示部５６が設けられている露出部６３を第１連結部３ａから引き離すべきことを使用者に確実に認識させることができる。このため、このフレキシブルセンサ１では、本体部８１とカバー８２とを強引に引き離すような誤操作をより確実に防止することが可能となっている。
【００６３】
また、このフレキシブルセンサ１では、カバー１２の外部から操作ができない突出部２１と爪部３１との係合によって本体部１１およびカバー１２が接続されて、本体部１１およびカバー１２の接続状態が維持される構造となっている。このため、このフレキシブルセンサ１では、仮に本体部１１とカバー１２とを引き離すような操作がされたとしても、接続されている本体部１１とカバー１２との分離が確実に防止される。
【００６４】
次いで、測定対象体１００からセンサケーブル２を取り外す。以上により、測定対象体１００に流れる電流の測定が終了する。続いて、他の測定対象体１００に流れる電流を測定する際には、上記した手順を繰り返して行う。
【００６５】
ここで、操作部１３に形成されている第１弾性片４１および第２弾性片４２は、弾性変形を可能とするために比較的薄手に構成されている。このため、第１弾性片４１および第２弾性片４２は、他の部分（厚手の部分）に比べて繰り返して使用されることによる破損が発生する可能性が高い。この場合、繰り返しの使用によって操作部１３の第１弾性片４１や第２弾性片４２が破損したときには、操作部１３を本体部１１から取り外して交換する。
【００６６】
操作部１３を本体部１１から取り外す際には、まず、カバー１２に形成されている解除孔３３に棒状部材を挿入し、次いで、本体部１１のスリット２３に嵌合している操作部１３における第２弾性片４２の第２凸部４２ａを棒状部材の先端部で押圧する。この際に、押圧によって第２弾性片４２が弾性変形して第２凸部４２ａとスリット２３との嵌合状態が解除される。続いて、操作部１３を本体部１１から引き抜く。これにより、操作部１３が本体部１１から取り外される。
【００６７】
上記したように、このフレキシブルセンサ１では、カバー１２の解除孔３３に解除用の棒状部材を挿入しなければ第２凸部４２ａとスリット２３との嵌合状態が解除されない構造となっている。このため、このフレキシブルセンサ１では、操作部１３の交換（本体部１１からの取り外し）を可能としつつ、第１連結部３ａと第２連結部３ｂとの連結を解除するための通常の操作によって操作部１３が本体部１１から容易に外れる事態を確実に防止することが可能となっている。
【００６８】
このように、このフレキシブルセンサ１では、挿入の向きを示すと共に第２連結部３ｂが予め決められた規定挿入量だけ被挿入部６１に挿入されたか否かを示す第１表示部５５が第２連結部３ｂに設けられている。このため、このフレキシブルセンサ１によれば、例えば、第１連結部３ａと第２連結部３ｂとを連結するのに必要な挿入量が規定挿入量として予め決められているときには、使用者が第１表示部５５を確認することで、挿入部６２が規定挿入量だけ被挿入部６１に挿入されたか否かを、使用者に確実かつ容易に認識させることができる。したがって、このフレキシブルセンサ１によれば、被挿入部６１に対する挿入部６２の挿入不足を確実に防止することができる結果、第１連結部３ａと第２連結部３ｂとを確実に連結することができる。
【００６９】
また、このフレキシブルセンサ１によれば、山形図形５５ａで第１表示部５５を構成し、規定挿入量で挿入されたときに被挿入部６１内に埋没する挿入部６２にその山形形状の図形を設けたことにより、山形形状の頂部を挿入の向きに向けることで、挿入の向きを使用者に明確に把握させることができると共に、挿入部６２が規定挿入量だけ被挿入部６１に挿入されたか否かを一層確実に使用者に認識させることができる。
【００７０】
また、このフレキシブルセンサ１では、挿入の向きに沿って並べられた複数の山形図形５５ａで第１表示部５５が構成されている。このため、このフレキシブルセンサ１によれば、被挿入部６１に挿入部６２を挿入している途中において、挿入部６２の一部が被挿入部６１内に埋没して、第１表示部５５を構成する各山形図形５５ａの１または複数が視認できない状態となったとしても、他の山形図形５５ａを視認できるため、挿入の向きを使用者に明確に把握させることができると共に、挿入部６２が規定挿入量だけ被挿入部６１に挿入されたか否かをより確実に使用者に認識させることができる。
【００７１】
また、このフレキシブルセンサ１では、第２連結部３ｂにおける挿入部６２および露出部６３の色が互いに異なるように形成されている。このため、このフレキシブルセンサ１によれば、被挿入部６１に対する挿入部６２の挿入量が規定挿入量に達していないときには、露出部６３とは異なる色の挿入部６２の一部が被挿入部６１から露出することとなる結果、挿入部６２が規定挿入量だけ被挿入部６１に挿入されたか否かを使用者にさらに確実に認識させることができる。
【００７２】
また、このフレキシブルセンサ１によれば、規定挿入量で挿入されたときに被挿入部６１から露出する露出部６３に、引き抜きの向きを示す第２表示部５６を設けたことにより、第２連結部３ｂを引き抜く向きを確実に使用者に認識させることができると共に、第２表示部５６が設けられている露出部６３を第１連結部３ａから引き離すべきことを確実に使用者に認識させることができる。このため、このフレキシブルセンサ１によれば、本体部１１とカバー１２とを強引に引き離すような誤操作を確実に防止することができる。
【００７３】
なお、フレキシブルセンサの構成は、上記した構成に限定されず、適宜変更が可能である。例えば、山形図形５５ａを３つ並べて第１表示部５５を構成した例について上記したが、１つの山形図形５５ａで第１表示部を構成することもできるし、２つ、または４つ以上の山形図形５５ａで第１表示部を構成することもできる。また、山形図形５５ａに代えて、矢印の形状の図形で第１表示部を構成することもできる。この場合、この矢印の形状の図形を１つだけ用いて第１表示部を構成してもよいし、この図形を２つ以上並べて第１表示部を構成してもよい。
【００７４】
また、第２連結部３ｂにおける挿入部６２および露出部６３の色を異ならせた例について上記したが、挿入部６２および露出部６３の表面荒さを互いに異ならせる（つまり、挿入部６２と露出部６３との境界部分で両者の表面荒さを区別する）構成を採用することもできる。この構成を採用することで、挿入部６２と露出部６３とを視覚的に区別することができることに加えて、挿入部６２および露出部６３を掴んだときの触感の相違によって両者を区別することができる。また、挿入部６２および露出部６３の外径を互いに異ならせる（つまり、挿入部６２と露出部６３との境界部分で両者の外径を区別する）構成を採用することもできる。この構成を採用した場合においても、挿入部６２と露出部６３とを視覚的に区別することができることに加えて、挿入部６２および露出部６３を掴んだときの感覚の相違（太さの相違）によって両者を区別することができる。また、挿入部６２および露出部６３の色、表面荒さ、および外径の２つまたは全てを互いに異ならせる構成を採用することもできる。
【００７５】
また、センサケーブル２としてロゴスキーコイルを採用した例について説明したが、本発明におけるセンサケーブルはこれに限定されず、各種センシング用のコイルおよび導線を採用することができる。
【符号の説明】
【００７６】
１  フレキシブルセンサ
２  センサケーブル
２ａ，２ｂ  端部
３  連結機構
３ａ  第１連結部
３ｂ  第２連結部
５５  第１表示部
５５ａ  山形図形
５６  第２表示部
６１  被挿入部
６２  挿入部
６３  露出部
１００  測定対象体
【図１】
0005944214.tif 000002
【図２】
0005944214.tif 000003
【図３】
0005944214.tif 000004
【図４】
0005944214.tif 000005
【図５】
0005944214.tif 000006
【図６】
0005944214.tif 000007
【図７】
0005944214.tif 000008
【図８】
0005944214.tif 000009
【図９】
0005944214.tif 000010
【図１０】
0005944214.tif 000011
【図１１】
0005944214.tif 000012
【図１２】
0005944214.tif 000013
【図１３】
0005944214.tif 000014
【図１４】
0005944214.tif 000015
【図１５】
0005944214.tif 000016
【図１６】
0005944214.tif 000017
【図１７】
0005944214.tif 000018
【図１８】
0005944214.tif 000019
【図１９】
0005944214.tif 000020
【図２０】
0005944214.tif 000021
【図２１】
0005944214.tif 000022